(57)【特許請求の範囲】
【請求項１】
対象体の気道へ呼吸可能物質を輸送するように構成される対象体インタフェース器具であり、前記対象体インタフェース器具は：
マスクバリアを含む第１のインタフェースを含み、前記マスクバリアは第１の外部オリフィスを含む前記対象体の気道の１又は複数の外部オリフィスを囲み、前記マスクバリアは、呼吸可能物質がそれを通じて前記マスクバリアで囲まれる前記対象体の前記１又は複数の外部オリフィスと流通され得る輸送開口部を形成されるように形状化され；
第２のインタフェースを含み、前記第２のインタフェースは：
第１の端部及び第２の端部を持つ中空突起部を含み、前記中空突起部が前記対象体の気道の第１の外部オリフィス内に挿入されて、前記中空突起部の第１の端部が前記第１の外部オリフィス内に位置され、かつ前記中空突起部の第２の端部が前記第１の外部オリフィス外に位置され、及び
前記対象体の気道内に前記中空突起部の第１の端部に入るガスを受けるために前記中空突起部に前記第２の端部で又は近くで接続される第１の導管を含み、前記第１の導管が前記受けたガスを、前記中空突起部を通じて第２のインタフェース内に受けられたサンプルガスの１又は複数のパラメータに関連した情報を伝達する出力シグナルを生成するように構成されるセンサに案内するように構成され；及び
前記第１のインタフェースから前記第２のインタフェースへ伸びる弾性部材を含み、前記弾性部材は前記第２のインタフェースを、前記第１のインタフェースに関して密閉部で定められる平面近くのデフォルト位置で前記第１のインタフェースの輸送開口部内の前記マスクバリアから空間的に離れて浮かせて保持するように構成され、前記対象体の気道の１又は複数の外部オリフィスを囲む前記第１のインタフェースを装着することに応じて、前記第２のインタフェースの前記デフォルト位置からの位置変動が前記第２のインタフェースに前記弾性部材により前記デフォルト位置へのバイアス力を生じさせる結果となり、
前記インタフェース器具は、前記第１のインタフェースの前記対象体の顔面への装着に応じて、前記弾性部材が前記中空突起部を、前記対象体の気道の前記第１の外部オリフィス内に前記中空突起部の第１の端部を位置させながら前記対象体の顔面上に、弾性的に位置保持する、対象体インタフェース器具。
【請求項２】
請求項１に記載の対象体インタフェース器具であり、前記第１のインタフェースはさらに、前記輸送開口部の回りの前記マスクバリアの端部で形成される前記密閉部を含み、前記密閉部は、前記対象体の顔面と、前記第１のインタフェース及び前記対象体の顔面との間を実質的に密閉係合する、対象体インタフェース器具。
【請求項３】
請求項２に記載の対象体インタフェース器具であり、前記弾性部材が、前記第１のインタフェースの前記密閉部で又は近くで前記第１のインタフェースから伸びている、対象体インタフェース器具。
【請求項４】
請求項１に記載の対象体インタフェース器具であり、前記第１のインタフェースがさらに、前記第１のインタフェースを呼吸可能物質のソースと脱着可能に接続するように構成されるソース接続装置を含み、前記呼吸可能物質が前記ソース接続装置と前記輸送開口部を通じて前記対象体の気道の外部オリフィスへ輸送される、対象体インタフェース器具。
【請求項５】
請求項１に記載の対象体インタフェース器具であり、前記弾性部材が、前記第２のインタフェースの前記デフォルト位置が前記対象体の顔面にカスタマイズされるように調節可能であるように構成される、対象体インタフェース器具。
【請求項６】
対象体の気道へ呼吸可能物質を輸送するように構成される対象体インタフェース器具であり、前記対象体インタフェース器具は：
第１の外部オリフィスを含む対象体の気道の１又は複数の外部オリフィスを囲むマスクバリアを含み、前記マスクバリアは、そこを通じて呼吸可能物質が、囲まれる前記対象体の前記１又は複数の外部オリフィスと流通され得る輸送開口部を形成し；
前記対象体の気道からガスを得るための手段を含み、前記ガスを得るための手段は：
前記対象体の気道の第１の外部オリフィスを係合するための手段を含み、前記第１の外部オリフィスを係合するための手段は、前記対象体の気道の前記第１の外部オリフィスの内に挿入されるように構成され、前記第１の外部オリフィスを係合するための手段の第１の端部が前記第１の外部オリフィス内に位置され、及び
センサへ向かって受けられたガスを案内するための手段、を含み、前記センサは、前記係合するための手段を通じて前記ガスを得るための手段内に受けられたサンプルガスに関連する情報を伝達する出力シグナルを生成するように構成され；及び
前記対象体の気道からのガスを得るための前記手段を、前記マスクバリアに対してデフォルト位置で、前記マスクバリアから空間的に離れて保持するための手段を含み、前記対象体の気道からのガスを得るための手段の前記デフォルト位置からの位置変動が、前記保持するための手段による前記デフォルト位置へのバイアス力の、前記対象体の気道からガスを得るための手段への印加をもたらし、前記保持するための手段は、前記対象体の気道からガスを得るための手段を、前記対象体の気道の前記第１の外部オリフィス内に位置される前記第１の外部オリフィスと係合するための手段で前記対象体の顔面上の所定位置に弾性的に保持し、
前記保持するための手段は、前記対象体の気道からガスを得るための手段を、前記マスクバリアに対して密閉部で定められる平面近くの前記デフォルト位置で前記マスクバリアの輸送開口部内の前記マスクバリアから空間的に離れて浮かせて保持するように構成され、前記対象体の気道の前記１又は複数の外部オリフィスを囲む前記マスクバリアを装着することに応じて、前記デフォルト位置からの前記対象体の気道からガスを得るための手段の位置変動が、前記対象体の気道からガスを得るための手段に前記保持するための手段による前記デフォルト位置に向かうバイアス力を生じさせる結果となり、
前記インタフェース器具は、前記マスクバリアの前記対象体の顔面への装着に応じて、前記保持するための手段が、前記対象体の気道の前記第１の外部オリフィス内に前記前記係合するための手段の前記第１の端部を位置させながら前記係合するための手段を前記対象体の顔面上に、弾性的に位置保持するように構成される、
対象体インタフェース器具。
【請求項７】
請求項６に記載の対象体インタフェース器具であり、さらに、前記輸送開口部の端部周りで、前記対象体の顔面と前記マスクバリアとの間に密閉部を形成するための手段を含む、対象体インタフェース器具。
【請求項８】
請求項７に記載の対象体インタフェース器具であり、前記保持するための手段は、前記密閉部を形成するための手段で又は近くで、前記マスクバリアから伸びる、対象体インタフェース器具。
【請求項９】
請求項６に記載の対象体インタフェース器具であり、さらに、前記マスクバリアを呼吸可能物質のソースと脱着可能に接続するための手段を含み、前記呼吸可能物質は、前記脱着可能に接続するための手段及び前記マスクバリアの前記輸送開口部を通じて前記対象体の気道の第１のオリフィスへ輸送される、対象体インタフェース器具。
【請求項１０】
請求項６に記載の対象体インタフェース器具であり、前記保持するための手段は、前記対象体の気道からのガスを得るための手段の前記デフォルト位置が前記対象体の顔面に対してカスタマイズできるように調節可能であるように構成される、対象体インタフェース器具。
【発明の詳細な説明】
【技術分野】
【０００１】
本発明は、モニタするために対象体の気道で又は気道近くでガスサンプルを取得しつつ対象体へ呼吸可能な物質を輸送するためのインタフェース器具に関する。
【背景技術】
【０００２】
治療目的で呼吸可能な物質を支持するように構成される対象体インタフェース器具が知られている。この器具の従来の使用は、呼吸可能な物質を輸送するように構成される第１のインタフェース器具を用いること、及び、前記対象体の気道から呼気されるガスからガスサンプルを得るように構成される別の第２のインタフェース器具を用いることを含む。これら第１及び第２のインタフェース器具は、一般的には別のインタフェースとして形成されており、特定に治療目的の場合に一緒に使用されるものである。前記第１及び第２のインタフェース器具を共に対象体の顔面に装着することは、これら２つのインタフェース器具の間の機械的干渉（及び／又はこれらの器具の位置を保持する機構）により難しく及び／又は前記第１のインタフェース器具によるユーザからの第２のインタフェース器具の分離により難しくなる場合がある。
【先行技術文献】
【特許文献】
【０００３】
【特許文献１】米国特許出願公開第２００２／１２２７４６Ａ１号明細書
【特許文献２】米国特許出願公開第２００８／３１９３３４Ａ１号明細書
【特許文献３】米国特許出願公開第２００６／２４９１６０Ａ１号明細書
【発明の概要】
【発明が解決しようとする課題】
【０００４】
本発明は、対象体インタフェース器具及び前記対象体の気道からガスサンプルを取得しつつ対象体へ呼吸可能な物質を輸送する方法を提供する。
【課題を解決するための手段】
【０００５】
本発明の１つの側面は、対象体の気道へ呼吸可能物質を輸送するように構成される対象体インタフェース器具に関する。１つの実施態様では、前記対象体インタフェース器具は、第１のインタフェース、第２のインタフェース及び弾性部材を含む。前記第１のインタフェースはマスクバリアを含み、前記マスクバリアは第１の外部オリフィスを含む前記対象体の気道の１以上の外部オリフィスを閉じ、呼吸可能物質がそれを通じて前記マスクバリアで閉じられる前記対象体の１以上の外部オリフィスと流通され得る輸送開口部を形成されるように形状化される。前記第２のインタフェースは中空突起部と第１の導管を含む。前記中空突起部が第１及び第２の端部を持ち、前記対象体の気道の前記第１の外部オリフィス内に挿入されるように構成され、前記中空突起部の第１の端部が前記第１の外部オリフィス内に位置され、前記中空突起部の第２の端部が前記第１の外部オリフィスの外に位置される。前記第１の導管は、前記対象体の気道内の前記中空突起部の第１の端部に入るガスを受けるために前記第２の端部で又は近くで前記中空突起部と接続され、前記中空突起部を通じて前記第２のインタフェース内に受けられたガスをサンプルするように構成されるセンサへ前記受けたガスを案内するように構成される。前記弾性部材は、前記第１のインタフェースから第２のインタフェースへ伸びており、かつ前記第２のインタフェースを前記第１のインタフェースに関してデフォルト位置で前記マスクバリアから空間的に離れて保持するように構成され、前記デフォルト位置からの前記第２のインタフェースの位置のずれが、前記弾性部材による前記第２のインタフェースへ前記デフォルト位置へのバイアス力が生じる結果となる。前記インタフェース器具は、前記第１のインタフェースが前記対象体の顔面に装着されると、前記弾性部材が、前記中空突起部を対象体の顔面上に、前記対象体の気道の第１の外部オリフィス内の前記中空突起部の第１の端部と、弾性的に位置保持する。
【０００６】
本発明の他の側面は、対象体の気道からガスのサンプルを得るための方法に関する。１つの実施態様では、前記方法は：対象体の気道の第１のオリフィスを係合することを含み、前記気道の第１の外部オリフィスが対象体の第２のインタフェース器具により係合され、前記第２のインタフェースが；第１の端部及び第２の端部を持つ中空突起部を含み、前記中空突起部は前記対象体の気道に前記第１の外部オリフィス内に挿入されて、前記中空突起部の第１の端部が前記第１の外部オリフィス内に位置され、かつ前記第２の端部が前記第１の外部オリフィス外に位置され、および前記対象体の気道内の前記中空突起部の第１の端部へ入ったガスを受けるために、前記第２の端部で又は近くで前記中空突起部へ接続される第１の導管を含み、前記第１の導管が前記受けたガスを、前記中空突起部を通じて前記第２のインタフェース内に受けられるサンプルガスの１以上のパラメータに関連する情報を伝達するシグナルを生成し出力するように構成されるセンサへ案内し；前記気道の第１の外部オリフィスを含む前記対象体の気道の１以上の外部オリフィスを閉じることを含み、前記対象体の気道の１以上の外部オリフィスが前記対象体インタフェース器具の第１のインタフェースで閉じられ、前記第１のインタフェースがマスクバリアを含み、前記マスクバリアが前記気道の１以上の外部オリフィスを閉じ、前記マスクバリアが、呼吸可能物質がそこを通って前記マスクにより閉じられる前記対象体の１以上の外部オリフィスと流通され得る輸送開口部を形成するために形状化され；及び前記第２のインタフェースと前記対象体の気道の第１の外部オリフィスとの間の係合を維持する前記第２のインタフェースへ弾性的バイアス力を与えることを含み、前記弾性的バイアス力が前記第１のインタフェースから前記第２のインタフェースへ伸びる弾性部材により前記第２のインタフェースへ与えられる、方法である。
【０００７】
本発明の他の側面は、対象体の気道へ呼吸可能物質を輸送するように構成される対象体インタフェース器具に関する。前記対象体インタフェース器具は、第１の外部オリフィスを含む対象体の気道の１以上の外部オリフィスを閉じるための手段を含み、前記閉じるための手段が、そこを通じて呼吸可能物質が、閉じ込められる前記対象体の１以上の外部オリフィスと流通され得る輸送開口部を形成し；前記対象体の気道からガスを得るための手段を含み、前記ガスを得るための手段が：前記対象体の気道の第１の外部オリフィスを係合するための手段を含み、前記第１の外部オリフィスを係合するための手段が前記対象体の気道の第１の外部オリフィスの内に挿入されるように構成され、前記第１の外部オリフィスを係合するための手段の第１の端部が前記第１の外部オリフィス内に位置され、及び前記受けられたガスを、前記係合するための手段を通じて前記第２のインタフェース内に受けられたサンプルガスに関連する情報を伝達する出力シグナルを生成するように構成されるセンサへ案内し；及び前記対象体の気道からのガスを得るための前記手段を、前記閉じるため手段に関してデフォルト位置で閉じるための手段から空間的に離れて保持するための手段を含み、前記対象体の気道からのガスを得るための手段の前記デフォルト位置からの位置変動が、前記保持するための手段により、前記デフォルト位置へのバイアス力が前記対象体の気道からガスを得るための手段に生じる結果となり、前記保持するための手段が、前記対象体の気道からガスを得るための手段を、前記対象体の気道の第１の外部オリフィス内に位置される第１の外部オリフィスを係合するための手段と前記対象体の顔面上に弾性的に位置保持する、対象体インタフェース器具である。
【０００８】
本発明のこれらの及びその他の課題、構成及び特徴は、操作方法及び構造の関連する要素及び部品の組合せの機能及び製造方法の経済性と同様に、以下の記載及び特許請求の範囲を明細書の一部である添付図面とともに考慮することで明確となる。ここで類似する参照符号・番号は種々の図面において対応する部品を示す。本発明の１つの実施態様では、ここで示される構成部品は寸法通りに描かれる。しかし明示的に理解されるべきことは、図面は図示及び説明のためだけのものであり本発明をなんら限定するものではない、ということである。さらに、理解されるべきことは、ここで全ての実施態様で示され記載される構成は他の実施態様でも使用され得る、ということである。しかし明示的に理解されるべきことは、図面は図示及び説明のためだけのものであり本発明をなんら限定するものではない、ということである。明細書及び特許請求の範囲で使用される、単数形「１つの」、「前記」は、特に断られていない限り複数を除外するものではない。
【図面の簡単な説明】
【０００９】
【図１】図１は、本発明の実施態様による、対象体の気道へ呼吸可能な物質を輸送するように構成される対象体インタフェースを示す。
【図２】図２は、図１は、本発明の実施態様による、対象体の気道へ呼吸可能な物質を輸送するように構成される対象体インタフェースを示す。
【図３】図３は、本発明の実施態様による方法を示すフローチャートである。
【発明を実施するための形態】
【００１０】
図１及び図２は、対象体の気道へ呼吸可能な物質を輸送するように構成される対象体インタフェース１０を示す。例えば、１つの実施態様では対象体インタフェース１０は前記対象体の気道へ呼吸可能なガスのフローを輸送するために使用される。呼吸可能なガスのフローは特定の成分（例えば高濃度酸素）を含み、圧サポート治療方法に従い輸送され及び／又は他の治療効果を与えるために輸送され得る。対象体インタフェース１０はさらに、前記対象体の気道からガスのサンプルを取得するように構成され、前記対象体の肺から呼気されるガスの１以上のパラメータが監視され得る。例えば、対象体インタフェース１０により得られるガスのサンプルは、前記ガスサンプルの成分を検出するために測定される（例えば１以上の分子種の分圧及び／又は濃度など）。１つの実施態様では、対象体インタフェース１０は、第１のインタフェース１２、第２のインタフェース１４及び１以上の弾性部材１６を含む。
【００１１】
前記第２のインタフェース１２は、前記対象体の気道へ呼吸可能な物質を輸送するように構成される。前記呼吸可能な物質は、そのソースから第１のインタフェース１２で受け取られる。非限定的例示によると、前記ソースは、圧サポート治療を提供するように構成される圧サポート装置、非侵襲性呼吸を提供するように構成される呼吸装置、特定成分（例えば酸素富化ガス）を持つガスソース及び／又は呼吸可能なガスのフローを提供するように構成されるその他のソースが含まれる。前記第１のインタフェース１２は、マスクバリア１８、密閉部２０、ソース接続装置２２、１以上のヘッドギア接続装置２３及び／又はその他のコンポーネントが含まれる。
【００１２】
前記マスクバリア１８は、対象体の気道の１以上の外部オリフィスを閉じるように構成される。前記１以上の外部オリフィスには、対象体の鼻孔及び／又は対象体の口のいずれか又は両方が含まれる。マスクバリア１８は、一般にはドーム形状を持つ膜として形成され、そこを通って呼吸可能物質が対象体の気道と流通される輸送開口部２４を定める。対象体の顔面に装着されると、前記マスクバリア１８は、対象体の気道の１以上の前記外部オリフィスの周りの空間と、周辺大気との間のバリアとして作用する。ソース接続装置２２と輸送開口部２４の間の第１のインタフェース１２によりこの空間内に１つの流路が形成される。マスクバリア１８は、ポリカーボネート及び／又は他の材料から形成され得る。
【００１３】
前記密閉部２０は、第１のインタフェース１２と、対象体の気道の１以上の外部オリフィスを囲む対象体の顔面との間に密閉（又は実質的に密閉）係合を形成するように構成される。前記密閉部２０は、輸送開口部２４の端部で第１のインタフェース１２上に曝露されている。前記密閉部は弾性材料、例えば弾性ポリマー、プラスチック及び／又はその他の弾性材料から形成され、対象体の顔面と密閉部２０との間に形成される密閉性を強化する。密閉部２０と対象体の顔面との間の密閉は、密閉部２０と顔面との間に形成される物理的接触の表面領域を増加させるように構成される、密閉部２０により形成される密閉表面２８により強化される。１つの実施態様では、密閉部２０は、輸送開口部２４の端部に沿ってマスクバリア１８により形成される縁部上に接続又は配設されている。この接続又は配設は、可動又は実質的に固定され得る。
【００１４】
前記ソース接続装置２２は、第１のインタフェースを、対象体に呼吸可能な物質を与えるソースと移動可能に接続するように構成される。前記ソースには、例えば、圧サポート装置、呼吸装置、壁ガスソース、デュワー及び／又はその他の呼吸可能物質のソースが含まれる。１つの実施態様では、ソース接続装置２２は、第１の端部を含む導管であり、ソース（又はソース接続装置を前記ソースに接続する呼吸回路）と脱着可能に係合されるように構成される。
【００１５】
ヘッドギア接続装置２３は、マスクバリア１８の外部に設けられており、対象体インタフェース１０をヘッドギア３０と接続するように構成される。図１及び２に示される実施態様では、ヘッドギア接続装置２３は、輸送開口部２４（例えば密閉部２４に隣接して）で又近くで曝露される。ヘッドギア３０には、１以上のストラップ、パッド、剛性部材及び／又はその他のコンポーネントであって対象体インタフェース１０を対象体の顔面の位置に保持するように構成されるコンポーネントを含む。図１及び２に示される実施態様では、ヘッドギア３０は、ヘッドギア接続装置２３に脱着可能に接続されるストラップを含む。ヘッドギア３０と所定のヘッドギア接続装置２３との間の脱着可能な接続には、スナップフィット、プレスフィット、フリクションフィット、フードループファスナ、スレッドファスナ及び／又はその他の機構であって２つのコンポの間を保持接続するものが含まれる。１つの実施態様では、ヘッドギア接続装置２３は、ヘッドギア３０へ実質的に非脱着可能な方法で接続される。
【００１６】
第２のインタフェース１４は、対象体の気道の１以上の外部オリフィスで又はその近くの位置からガスのサンプルを取得するように構成される。特に、第２のインタフェース１４は、第１のインタフェース１２で囲まれた対象体の気道の少なくとも１つの外部オリフィス内に、そこからガスサンプルを得るために挿入されるように構成される。第２のインタフェース１４は、少なくとも１つの中空突起部３４、第１の導管３６及び／又はその他のコンポーネントの１以上を含むことができる。
【００１７】
前記中空突起部３４は第１の端部及び第２の端部を持つ。前記ガス入口３２は前記中空突起部３４の第１の端部で形成される。前記中空突起部３４は、対象体の気道の外部オリフィス内に挿入され、前記第１の端部が前記気道の外部オリフィス内に位置し、対象体の気道からガスを受ける。前記中空突起部３４は、比較的柔らかい及び／又は弾性材料から形成され、対象体への心地よさを強化する。例えば、中空突起部３４は、弾性ポリマー材料及び／又は他の材料から形成され得る。
【００１８】
図１及び２に記載の実質的にでは、第２のインタフェース１４は、対象体の鼻孔及び口のための別の中空突起部３４を含み得る。これはなにかを限定するものではない。例えば、中空突起部３４は、より少ない中空突起部３４を含み得るものであり、対象体の口及び／又は対象体の鼻孔からガスサンプルを取得しなくてもよい。さらに１つの実施態様では、中空突起部３４の全てがガスサンプルを取得することは必要ではない。この実施態様では、１以上の中空突起部３４は、治療目的でガスの補充フローを輸送するために使用され得る。例えば、対象体の鼻孔内に挿入されるように構成される中空突起部３４の１つは、酸素富化ガスのフローを輸送するために使用され、一方で他の中空突起部３４がセンサによる監視のために対象体の気道からガスのサンプルを取得するために使用され得る。
【００１９】
１つの実施態様では、第２のインタフェース１４は、図１及び２に示される中空突起部３４の全てを含まない。例えば、鼻孔のためのみ、口のためのみ、又は１つの鼻孔のためのみのガス入口３２を含む第２のインタフェース及び／又はその他の構成の第２のインタフェースもまた本発明の開示の範囲に含まれる。
【００２０】
前記第１の導管３６は、中空突起部３４と、中空突起部３４の前記第２の端部で又はその近くで接続されている。前記第１の導管３６は、中空突起部３４を通じて第２のインタフェースへ入るガスを受け取り、及び前記受け取られたガスをセンサへ案内するように構成される。前記センサ（図示されていない）は、対象体の気道で又はその近くで第２のインタフェースによりサンプルされたガスの１以上のパラメータに関する情報を伝達する出力シグナルを生成するように構成され得る。例えば、１以上のパラメータには、第２のインタフェース１４により受けられたガスの組成、及び／又はその他のパラメータを含み得る。
【００２１】
第１の導管３６が受け取られたガスを伝達するセンサは第１のインタフェース１２の外部に設けられ得る。従って、１つの実施態様では、第１のインタフェース１２は、第１の導管３６が第１のインタフェース１２を通って通過することができるように構成される。例えば第１の導管３６はマスクバリア１８を通るようにすることができる。マスクバリア１８は、第１の導管３６がマスクバリア１８を通過する点で第１の導管３６周りの密閉性を維持して、この点でマスクバリア１８の内部及び外部の間の漏れを防止するように構成される。
【００２２】
図１及び２に示されるように、操作の際には第２のインタフェース１４は第１のインタフェース１２内に設けられ、対象体の気道の外部オリフィスからのガスを受け取り、一方呼吸可能な物質が第１のインタフェース１２により対象体の気道の外部オリフィスへ輸送される。従って、従来のインタフェース器具において、第２のインタフェースと対象体の１以上の外部オリフィスとの間の係合は、物理的に第１のインタフェースの外部オリフィスから分離されている。このことは、第２のインタフェースを受け入れ可能な従来のインタフェース器具が外れた状態となり、使用の際に不確実になる恐れが生じる。
【００２３】
弾性部材１６は第１のインタフェース１２から第２のインタフェース１４へ伸びる。前記弾性部材１６は、第１のインタフェース１２に関してデフォルト位置でマスクバリア１８から空間的に離れて第２のインタフェース１４を保持するように構成される。弾性部材１６は、弾性材料から少なくとも部分的に形成されており、第２のインタフェース１４の位置の前記デフォルト位置からのずれは、弾性部材１６に、第２のインタフェース１４をそのデフォルト位置へ戻すバイアス力を適用する結果となる。
【００２４】
使用の際には、第１のインタフェース１２に関しての第２のインタフェース１４のデフォルト位置は、第１のインタフェース１２が対象体の顔面上に装着されると、弾性部材１６による第２のインタフェースに適用される力が第２のインタフェース１４を前記外部オリフィスの位置に配置させるように、位置付けされるべきである。図１及び２で非限定的な例で示されるように、第２のインタフェース１４の前記デフォルト位置が密閉部２０で定められる平面内（又はその近くに）にあり、かつ対象体の鼻孔よりもやや高い位置にある場合には、対象体インタフェース器具１０が対象体の顔面に装着されると、弾性部材１６による第２のインタフェース１４へ適用されるバイアスが、対象体の鼻孔に対応する中空突起部３４を前記鼻孔内の位置を確実にするものである。前記弾性部材１６は、前記バイアス力のバネ定数は、中空突起部３４を、対象体が不愉快を感じるほどの強くなく確実に位置を保持するように構成され得る。
【００２５】
１つの実施態様では、弾性部材１６は、第２のインタフェース１４のデフォルト位置が前記対象体の顔面及び／又は快適性をカスタマイズされ得るように調節可能である。これは、第２のインタフェース１４のデフォルトを、対象体の顔面から、上下、左右、近づけるか遠ざけるかなど動かすことが含まれる。非限定的に例示すると、第２のインタフェース１４を第１のインタフェース１２に関する位置で支える１以上の弾性材料を含む場合には（図１及び２に示されるように）、第２のインタフェース１４と第１のインタフェース１２との間の接続が調節可能となる。１つの実施態様では、弾性部材１６の形状は調節可能であり、第２のインタフェース１４のデフォルト位置の配置をカスタマイズすることができる。
【００２６】
理解されるべきことは、弾性部材１６は図１及び２では全体が弾性材料（例えば弾性材料）で形成されているが、これは意図的な限定を意味するものではない。例えば、弾性部材１６は剛性部分と弾性部分を含むことができる。１つの実施態様では、第１のインタフェース１２と弾性部材１６との接続は弾性材料から形成され得る。またこの接続から第２のインタフェース、１４へ伸びる前記弾性部材１６の部分は剛性材料から形成され得る。さらに、弾性材料１６は図１及び２には、密閉部２０で又は近くで第１のインタフェース１２の２つの点で接続されているように図示されているが、これは意図的に限定することを意味するものではない。１つの実施態様では、弾性部材１６は第１のインタフェース１２と１点で接続される。１つの実施態様では、弾性部材１６は第１のインタフェース１２と多くとも２つの位置で接続される。１つの実施態様では、弾性部材１６は、密閉部２０から離れたマスクバリア１８に又は近くの位置（例えばソース接続装置２２の近く）で第１のインタフェース１２と接続される。
【００２７】
以下、対象体インタフェース器具１０を対象体の顔面に装着する方法が説明される。理解されるべきことは、対象体の顔面に対象体インタフェース器具１０を装着する例示的方法が、説明的・例示的目的のために提供され、本開示の範囲をなんら制限するものではない、ということである。図３は、方法３８のフローチャートを提供し、少なくともいくつかの装着プロセスに含まれる操作を含む。
【００２８】
操作４０で、対象体の顔面に対象体インタフェース器具を位置保持するヘッドギアは対象体の頭部に装着される。前記ヘッドギアが適切に調節され得ることを確実にするために、対象体インタフェース器具は、ヘッドギアが対象体の頭部に置かれる間、ヘッドギアに接続され得る。操作４０では、対象体の顔面に関して対象体インタフェース器具の第１のインタフェースの適合性に特別の注意が払われる。１つの実施態様では、前記第１のインタフェースは、第１のインタフェース１２（図１及び２に示され前記されるように）と類似するか同じである。１つの実施態様では、前記ヘッドギアは、ヘッドギア３０（図１及び２に示され前記されるように）と類似するか同じである。
【００２９】
操作４２で、対象体インタフェース器具は、ヘッドギアから外され、ヘッドギアは対象体の頭部に装着されたままである。これは、対象体インタフェース器具に曝露されるヘッドギア接続装置からヘッドギアを外すことを含む。１つの実施態様では、前記ヘッドギア接続装置は、ヘッドギア接続装置２３（図１及び２に示され、前記されるように）と類似するか同じである。
【００３０】
操作４４で、対象体インタフェース器具の第２のインタフェースは前記対象体の顔面に、第２のインタフェースが対象体の１以上の外部オリフィスに係合するように位置され、前記第２のインタフェースが対象体の気道の１以上の外部オリフィスで又はその近くでガスのサンプルを取得することができる。例えば、前記第２のインタフェースは、対象体の気道の１以上の外部オリフィスに又は外部オリフィス内に位置されるべき１以上のガス入口を設けるように構成され得る。１つの実施態様では、前記第２のインタフェースは、第２のインタフェース１４（図１及び２に示され、前記されるように）と類似するか同じである。
【００３１】
操作４６で、前記第１のインタフェースは対象体の顔面に再度装着される。これは、前記第１のインタフェースとヘッドギアとを、ヘッドギアが前記第１のインタフェースを対象体の顔面に、対象体の気道の１以上のオリフィス（前記第２のインタフェース内に設けられる前記１以上の外部オリフィスを含む）を閉じるように位置保持するように再接続されることを含む。
【００３２】
前記第１のインタフェース及び第２のインタフェースはお互いに弾性部材で接続される。前記弾性分際は前記第２のインタフェースを前記第１のインタフェースに関してデフォルト位置に弾性的に保持する。前記第２のインタフェースのデフォルト位置は、前記第１のインタフェースが対象体の顔面に装着されると（例えば操作４６で）、前記第２のインタフェースが前記デフォルト位置から遠ざかり、それにより前記弾性部材が弾性的バイアス力を前記第２のインタフェースに与えて、前記第２のインタフェースが前記第２のインタフェースの前記ガス入口を対象体の気道の１以上の外部オリフィスの位置保持するように構成される。
【００３３】
操作４８で、呼吸可能物質は対象体に対象体インタフェース器具を通じて輸送される。１つの実施態様では、前記呼吸可能物質が前記第１のインタフェースを通じて対象体に輸送される。
【００３４】
操作５０で、対象体の１以上の外部オリフィスで又は近くで得られたガスサンプルは、前記ガスを監視するセンサへ案内される。１つの実施態様では、操作５０は前記第２のインタフェースにより実行される。
【００３５】
以上本発明は、現在最も実用的であり好ましい実施態様であると考えられることに基づいて説明する目的で詳細に記載された。理解されるべきことは、かかる詳細な説明は前記目的のためだけのものであり、本発明はここで開示された実施態様に限定されるものではないということ、むしろ本発明は添付の特許請求の範囲の本質及び範囲に含まれる変更及び均等な構成を含むものである、ということである。例えば、理解されるべきことは、本発明は可能な限り、全ての実施態様の１以上の構成がその他の全ての実施態様の１以上の構成と組み合わせることができる、ということである。
【図１】
0005860814.tif 000002
【図２】
0005860814.tif 000003
【図３】
0005860814.tif 000004